(57)【特許請求の範囲】
【請求項１】
冷蔵庫内の複数の冷蔵室を仕切る棚板と、該冷蔵室の前面を遮蔽する跳ね上げ回動扉とで構成される冷蔵庫用の跳ね上げ回動式冷気遮断装置であって、
前記棚板は、冷蔵庫の棚段に載置される矩形の平板状に形成され、
前方両端には、前記跳ね上げ回動扉を回動自在に軸支する回動扉係止部を左右対称に対向させて設け、
該回動扉係止部は、先端形状が略半円形に形成された係止ストッパーを前記棚板の上面とつら位置を同じくして内側方向に突設すると共に、前記跳ね上げ回動扉の回動軸芯が嵌められる軸受け穴を形成する軸受けフランジを内側方向に向けて垂設して成り、
前記跳ね上げ回動扉は、矩形の遮蔽板の下端両側に回動軸芯を突設する回動軸を設けると共に、該回動軸の直近上方両端に切り欠き部を形成する係止リブを設けて成り、
前記跳ね上げ回動扉を上方に跳ね上げて前記跳ね上げ回動扉の係止リブを前記回動扉係止部の係止ストッパーに当接させることによって、冷蔵庫内の冷気を冷蔵室毎に遮断することができることを特徴とする冷蔵庫用の跳ね上げ回動式冷気遮断装置。
【請求項２】
冷蔵庫内の複数の冷蔵室を仕切る棚板と、該冷蔵室の前面を遮蔽する跳ね上げ回動扉とで構成される冷蔵庫用の跳ね上げ回動式冷気遮断装置であって、
前記棚板が、冷蔵庫の棚段に載置される矩形の平板状に形成され、
前方両端には前記跳ね上げ回動扉を回動自在に軸支する回動扉係止部を左右対称に対向させて設け、
該回動扉係止部は、前記跳ね上げ回動扉の回動軸芯が嵌められる軸受け穴を内側方向に向けて設けると共に、該軸受け穴を挟む上下位置に突条の係止ストッパーを配設して成り、
前記跳ね上げ回動扉は、矩形の遮蔽板の下端両側に角面が面取りされる四角柱状の回動軸を設け、その両端部には回動軸芯を突設すると共に、直近上方両端には切り欠き部を形成して成り、
前記跳ね上げ回動扉が上方に跳ね上げられて回動する前記回動軸を、前記回動扉係止部の軸受け穴を挟む上下位置に配設される突条の係止ストッパー間に落とし込むことによって、冷蔵庫内の冷気を冷蔵室毎に遮断することができることを特徴とする冷蔵庫用の跳ね上げ回動式冷気遮断装置。
【請求項３】
前記回動扉係止部が、棚板との着脱を可能とする凹凸嵌め込み部を形成した弾性係止ブロックで形成されたことを特徴とする請求項1または請求項２記載の冷蔵庫用の跳ね上げ回動式冷気遮断装置。
【請求項４】
前記回動扉係止部が、棚板との固着ならびに分離可能とする挟持連結部を備えた回動扉係止ブロックで形成されたことを特徴とする請求項1または請求項２記載の冷蔵庫用の跳ね上げ回動式冷気遮断装置。
【発明の詳細な説明】
【技術分野】
【０００１】
本発明は、冷蔵庫内の冷気を冷蔵室毎に遮断することができると共に、両手を使っての食品の出し入れを可能とし、さらに新規ならびに使用中の冷蔵庫に後付けで装着することができる冷蔵庫用の跳ね上げ回動式冷気遮断装置に関する。
【背景技術】
【０００２】
一般家庭で使用される電気製品で消費される電力のうち、コンセントをつけっ放しの状態にした待機消費電力が占める割合は全体の約６％とされ、その割合を家庭一世帯の電力使用量に当てはめると、待機消費電力の総量は年間２８５ｋｗｈに上り、電力量１ｋｗｈあたり２２円で計算すると年間６２７０円の電気料金が掛かるものと試算されている。その中で最も待機消費電力を消費するのが冷蔵庫で、全体消費量の約１４．２％を占め、その消費量を年間の電気料金に換算すると約８８６円にも上ることから、一般家庭で誰でもが簡単にできる節電対策法としては、ドアの開閉頻度や開閉時間を少なくする、必要なものを素早く取る、冷蔵庫内に必要以上の食品を詰め過ぎない、冷蔵庫内の温度設定を季節によってこまめに調節するなどの処置をとることで無駄な消費電力を抑えることができるが、実際にその行動を日常生活を営む中で習慣的に行うことは難しく、消費者ニーズとしては、それらの省エネ機能が冷蔵庫の標準仕様として備わっていることが望まれるものであった。
【０００３】
しかしながら、製造メーカーとしてそれらの省エネ機能を標準仕様とするには製品価格ならびに研究開発費の高騰に繋がることから,現在に至るまで本格的な冷気遮断機能を備える冷蔵庫の販売は実現されることはなかった。そこで単純な小型・軽量の省エネ対策装置を装備することによって、一定の省エネ効果が得られることになれば消費者ならびに製造メーカーにとって両得となることから、従来より冷蔵庫内の冷気が外部に流出することを遮蔽するカーテン方式、横開放ドア方式、シャッター方式、スライド収納方式などの多様な冷蔵庫用の冷気遮断装置が提案され、周知技術となっている。
【０００４】
例えば、上記カーテン方式の暖簾式に関しては、突っ張り棒で上部を吊持して取り付けられることによりカーテン自体が揺らいで取り出し難いことや、取り出し口が上部から下部に亘るため開口口が大きくなることによって冷気遮断効果が低下する問題があるもので、またスライド式に関しては、冷蔵庫開閉面の半分が閉鎖状態になることや、取り出す際の回動扉の開け閉めの作業の煩わしさが残るといった問題点があるものであった。
【０００５】
また横開放ドア方式に関しては、開放ドアの取り付け手段が冷蔵庫の内壁面に取り付けられることから、製造時における部品調達と取り付け作業コストの増大に繋がると共に、開閉領域が冷蔵庫の幅寸法を要することから、開閉スペースの確保が困難になるといった問題点があるものであった。
【０００６】
またシャッター方式に関しては、作動扉が屈曲自在のシャッター構造となることから部品単価の高騰に繋がると共に、ガイドレールの取り付け構造も複雑になるといった問題点があるものであった。
【０００７】
またスライド収納方式に関しては、取り付け手段が冷蔵庫の内壁面に取り付けられることから部品単価の高騰に繋がると同時に部品構造が複雑になり、さらに組立作業コストの増大に繋がるといった問題点があるものであった。
【０００８】
そこで、従来より上記の問題点を解決しようとする提案がなされている。例えば、冷蔵庫本体の前面枠へ樹脂膜を接着し、その樹脂膜に棚板毎に取り出し口を配設すると共にその取り出し口の上に蓋を接着して取り出し口から物の出し入れができるようにした「冷蔵庫用省エネスクリーン」（特許文献１参照）が提案されている。
【０００９】
しかしながら上記提案は、樹脂膜を冷蔵庫本体の前面枠へ接着する手段を選択していることから、低温での経年接着効果が疑問視されると共に、樹脂膜を冷蔵庫本体の前面枠に装着するには、製造段階における取り付け作業の困難さが予想され、さらに使用段階における使い勝手や、樹脂膜のメンテナス管理や修理・保全の問題が残るものであった。
【００１０】
また、単数又は複数の蓋付き開閉窓が設けられるシート状の冷気遮断カーテンにおいて、該開閉窓の左右両側にカーテンの柔軟性を補強するテープを数ｃｍ間隔に貼着した「間口自在調整型冷蔵庫等の省エネルギーカーテン」（特許文献２参照）が提案されている。
【００１１】
しかしながら上記提案は、冷気遮断カーテンを突っ張り棒で吊持する方法を採用しているため取り付け状態が不安定であると共に、開閉窓を開放した時に開閉扉自体を片手で持って維持しなければならないため両手で食品を出し入れすることができない問題があると共に、冷蔵庫の棚段の間隔と冷気遮断カーテンの開閉窓の間隔を合わせる必要があることから、その冷蔵庫専用の冷気遮断カーテンとして提供されるには問題ないが、製造メーカーが異なる後付け商品として販売することができない問題点があるものであった。
【００１２】
また、前扉を開いても庫内の冷気流出を最小限に留め、庫内の温度が上昇しない構造とした「冷気流出防止扉付冷蔵庫」（特許文献３参照）が提案されている。
【００１３】
しかしながら上記提案は、冷蔵庫内の最上段の棚板に取り付けることができないため、最上段の冷蔵室の冷気流出を防止することができないものであり、また開閉窓を開放したときに開閉状態を片手で持って維持しなければならないため両手を使って食品を出し入れすることができないことや、取っ手に相当する部分が三角状の隙間となっているため冷却遮断効果の低下が懸念される問題や、後付けする場合に各段毎に突っ張り棒を架設しなければならず取り出す際の邪魔になる問題があるものであった。
【００１４】
以上のような冷蔵庫内の冷気が外部に流出することを遮断する冷蔵庫用の冷気遮断装置は、冷蔵庫内の冷気を冷蔵室毎に確実に遮断することができる構造、冷気遮断装置が簡単に取り付けることができる構造、両手を使っての食品の出し入れができる構造、製造コストが低廉な構造、装置自体が小型且つ軽量である構造、新規ならびに現在使用中の冷蔵庫に後付けで装着できる構造などの消費者ニーズを満足させることができるものではなかった。
【００１５】
本出願人は上記における問題点と、冷蔵庫の冷蔵室を仕切る棚板に上方に回動する回動扉を挟着する構造で冷蔵庫内の冷気を個別に遮断して冷気の流出を阻止する冷蔵庫用の冷気遮断装置が未だ提案されていない現状に着目し、簡単な付属部品を用いてそれらの問題点を一挙に解決することができないものかという着想の下、冷蔵庫内の冷気を冷蔵室毎に遮断することができると共に、両手を使っての食品の出し入れを可能とし、さらに新規ならびに使用中の冷蔵庫に後付けで装着することができる冷蔵庫用の跳ね上げ回動式冷気遮断装置を開発し、本発明における「冷蔵庫用の跳ね上げ回動式冷気遮断装置」の提案に至るものである。
【先行技術文献】
【特許文献】
【００１６】
【特許文献１】公開実用新案昭５７-１５３９８７号公報
【特許文献２】特開昭５８-８０４８１号公報
【特許文献３】特開２０００-２７４９２９号公報
【発明の概要】
【発明が解決しようとする課題】
【００１７】
本発明は、上記問題点に鑑み、冷蔵庫内の冷気を冷蔵室毎に遮断することができると共に、両手を使っての食品の出し入れを可能とし、さらに新規ならびに使用中の冷蔵庫に後付けで装着することができる冷蔵庫用の跳ね上げ回動式冷気遮断装置の提供を図ることを目的とする。
【課題を解決するための手段】
【００１８】
本発明の冷蔵庫用の跳ね上げ回動式冷気遮断装置は、上記目的を達成するためになされるもので、冷蔵庫内の複数の冷蔵室を仕切る棚板と、該冷蔵室の前面を遮蔽する跳ね上げ回動扉とで構成される冷蔵庫用の跳ね上げ回動式冷気遮断装置であって、前記棚板は、冷蔵庫の棚段に載置される矩形の平板状に形成され、前方両端には、前記跳ね上げ回動扉を回動自在に軸支する回動扉係止部を左右対称に対向させて設け、該回動扉係止部は、先端形状が略半円形に形成された係止ストッパーを前記棚板の上面とつら位置を同じくして内側方向に突設すると共に、前記跳ね上げ回動扉の回動軸芯が嵌められる軸受け穴を形成する軸受けフランジを内側方向に向けて垂設して成り、前記跳ね上げ回動扉は、矩形の遮蔽板の下端両側に回動軸芯を突設する回動軸を設けると共に、該回動軸の直近上方両端に切り欠き部を形成する係止リブを設けて成り、前記跳ね上げ回動扉を上方に跳ね上げて前記跳ね上げ回動扉の係止リブを前記回動扉係止部の係止ストッパーに当接させることによって、冷蔵庫内の冷気を冷蔵室毎に遮断することができる手段を採る。
【００１９】
また本発明の冷蔵庫用の跳ね上げ回動式冷気遮断装置は、冷蔵庫内の複数の冷蔵室を仕切る棚板と、該冷蔵室の前面を遮蔽する跳ね上げ回動扉とで構成される冷蔵庫用の跳ね上げ回動式冷気遮断装置であって、前記棚板が、冷蔵庫の棚段に載置される矩形の平板状に形成され、前方両端には前記跳ね上げ回動扉を回動自在に軸支する回動扉係止部を左右対称に対向させて設け、該回動扉係止部は、前記跳ね上げ回動扉の回動軸芯が嵌められる軸受け穴を内側方向に向けて設けると共に、該軸受け穴を挟む上下位置に突条の係止ストッパーを配設して成り、前記跳ね上げ回動扉は、矩形の遮蔽板の下端両側に角面が面取りされる四角柱状の回動軸を設け、その両端部には回動軸芯を突設すると共に、直近上方両端には切り欠き部を形成して成り、前記跳ね上げ回動扉が上方に跳ね上げられて回動する前記回動軸を、前記回動扉係止部の軸受け穴を挟む上下位置に配設される突条の係止ストッパー間に落とし込むことによって、冷蔵庫内の冷気を冷蔵室毎に遮断することができる手段を採る。
【００２０】
また本発明の冷蔵庫用の跳ね上げ回動式冷気遮断装置は、前記回動扉係止部が、棚板との着脱を可能とする凹凸嵌め込み部を形成した弾性係止ブロックで形成される手段を採る。
【００２１】
また本発明の冷蔵庫用の跳ね上げ回動式冷気遮断装置は、前記回動扉係止部が、棚板との固着ならびに分離可能とする挟持連結部を備えた回動扉係止ブロックで形成される手段を採る。
【発明の効果】
【００２２】
本発明の冷蔵庫用の跳ね上げ回動式冷気遮断装置によれば、跳ね上げ回動扉によって冷蔵庫内の冷蔵室毎の冷気を確実に遮断することができるため、従来に増して冷気遮断効果が得られるといった優れた効果を奏する。
【００２３】
また本発明の冷蔵庫用の跳ね上げ回動式冷気遮断装置によれば、全ての冷蔵室の冷気遮断が跳ね上げ式の回動扉で操作できるため開閉作業が単純であると共に、跳ね上げ回動扉を跳ね上げることによって冷蔵室の前方が全閉状態となって冷気の遮断が冷蔵室毎にできると共に、跳ね上げ回動扉を下方に引き下げることによって冷蔵室の前方が全開放状態となるため、両手を使っての食品の出し入れが容易にできるといった優れた効果を奏する。
【００２４】
また本発明の冷蔵庫用の跳ね上げ回動式冷気遮断装置によれば、装置自体が小型且つ軽量であると共に、単純形状で極めて少数の部品点数で構成されることによって、製造コストの低廉が図れるといった優れた効果を奏する。
【００２５】
また本発明の冷蔵庫用の跳ね上げ回動式冷気遮断装置によれば、回動扉係止部が、棚板との着脱を可能とする凹凸嵌め込み部を形成した弾性係止ブロックで形成されることによって、跳ね上げ回動扉の開閉時のばたつきを抑制することができる共に、使用にあたってソフトタッチに開閉することができ、さらに柔軟性を持って確実に係止されることで冷蔵室の冷気遮断状態を安定的に維持することができるといった優れた効果を奏する。
【００２６】
また本発明の冷蔵庫用の跳ね上げ回動式冷気遮断装置によれば、回動扉係止部が、棚板との固着ならびに分離可能とする挟持連結部を備えた回動扉係止ブロックで形成されることによって、それらが簡単に棚板に装着できると共に、構成部品の形状の簡素化と製造コストの低廉が図られ、さらに使用に当たってはワンタッチで跳ね上げ回動扉の開閉ができるといった優れた効果を奏する。
【００２７】
また本発明の冷蔵庫用の跳ね上げ回動式冷気遮断装置によれば、回動扉係止部が、棚板との固着ならびに分離可能とする挟持連結部を備えた回動扉係止ブロックで形成されることによって、冷気遮断装置自体を単品で販売することが可能となることから、新規ならびに使用中の冷蔵庫に後付けで装着することができるといった優れた効果を奏する。
【００２８】
また本発明の冷蔵庫用の跳ね上げ回動式冷気遮断装置によれば、角面が面取りされる四角柱状の回動軸を回動させながら回動扉係止部の軸受け穴を挟む上下位置に配設される突条の係止ストッパー間に落とし込むことによって、冷蔵庫内の冷気を冷蔵室毎に遮断することができるといった優れた効果を奏する。
【図面の簡単な説明】
【００２９】
【図１】本発明の冷蔵庫用の跳ね上げ回動式冷気遮断装置における請求項１記載の実施形態を示す説明図である。（実施例１）
【図２】本発明の冷蔵庫用の跳ね上げ回動式冷気遮断装置における請求項１記載の使用状態を示す説明図である。
【図３】本発明の冷蔵庫用の跳ね上げ回動式冷気遮断装置における請求項３記載の実施形態を示す説明図である。（実施例２）
【図４】本発明の冷蔵庫用の跳ね上げ回動式冷気遮断装置における請求項４記載の実施形態を示す説明図である。（実施例３）
【図５】本発明の冷蔵庫用の跳ね上げ回動式冷気遮断装置における請求項２記載の実施形態を示す説明図である。（実施例４）
【図６】本発明の冷蔵庫用の跳ね上げ回動式冷気遮断装置における請求項２記載の使用状態を示す説明図である。
【図７】本発明の冷蔵庫用の跳ね上げ回動式冷気遮断装置における請求項３記載の別の実施形態を示す説明図である。
【図８】本発明の冷蔵庫用の跳ね上げ回動式冷気遮断装置における請求項４記載の別の実施形態を示す説明図である。
【発明を実施するための形態】
【００３０】
本発明の冷蔵庫用の跳ね上げ回動式冷気遮断装置１０は、冷蔵庫Ｒ内の複数の冷蔵室Ｈを仕切る棚板２０と、該冷蔵室Ｈの前面を遮蔽する跳ね上げ回動扉３０とで構成される冷蔵庫用の跳ね上げ回動式冷気遮断装置１０であって、該棚板２０は、冷蔵庫Ｒの棚段Ｔに載置される矩形の平板状に形成され、前方両端には、跳ね上げ回動扉３０を回動自在に軸支する回動扉係止部２１を左右対称に対向させて設け、該回動扉係止部２１は、先端形状が略半円形に形成された係止ストッパー２２を棚板２０の上面とつら位置を同じくして内側方向に突設すると共に、跳ね上げ回動扉３０の回動軸芯３２が嵌められる軸受け穴２４を形成する軸受けフランジ２３を内側方向に向けて垂設して成り、跳ね上げ回動扉３０は、矩形の遮蔽板３４の下端両側に回動軸芯３２を突設する回動軸３１を設けると共に、該回動軸３１の直近上方両端に切り欠き部３５を形成する係止リブ３３を設けて成り、跳ね上げ回動扉３０を上方に跳ね上げて跳ね上げ回動扉３０の係止リブ３３を回動扉係止部２１の係止ストッパー２２に当接させることによって、冷蔵庫Ｒ内の冷気を冷蔵室Ｈ毎に遮断することができる手段を採ったことを最大の特徴とする。以下、本発明の実施形態を図面を基に説明する。
【００３１】
尚、本発明における冷蔵庫用の跳ね上げ回動式冷気遮断装置１０は、以下に述べる実施例に限定されるものではなく、本発明の技術的思想の範囲内、すなわち同一の作用効果を発揮できる形状及び寸法の範囲内で適宜変更することができる。
【実施例１】
【００３２】
図１は、本発明の冷蔵庫用の跳ね上げ回動式冷気遮断装置における請求項１記載の実施形態を示す説明図である。
図１（a）は分解斜視図を示し、図１（b）は全体斜視図を示す。
本発明の冷蔵庫用の跳ね上げ回動式冷気遮断装置１０は、冷蔵庫Ｒ内の複数の冷蔵室Ｈを仕切る棚板２０と、該冷蔵室Ｈの前面を遮蔽する跳ね上げ回動扉３０とで構成され、冷蔵庫Ｒの棚板２０の前面に装着されて冷蔵庫Ｒ内の冷気を冷蔵室Ｈ毎に遮断する構造で形成される。
【００３３】
棚板２０は、冷蔵庫Ｒの棚段Ｔに載置される合成樹脂製の矩形の平板状に形成され、前方両端には、跳ね上げ回動扉３０を回動自在に軸支する回動扉係止部２１を左右対称に対向させて一体成型される。
【００３４】
回動扉係止部２１は、先端形状が略半円形に形成された係止ストッパー２２を棚板２０の上面とつら位置を同じくして内側方向に突設すると共に、跳ね上げ回動扉３０の回動軸芯３２が嵌められる軸受け穴２４を形成する軸受けフランジ２３を内側方向に向けて垂設して形成されるもので、回動機構が前方両端に垂設して形成されているため、何ら障害物がない状態で冷蔵室Ｈ内の食品の出し入れができる構造を有して形成される。
【００３５】
係止ストッパー２２は、跳ね上げ回動扉３０の係止リブ３３に当接するもので、先端形状が略半円形に形成されて棚板２０の上面とつら位置を同じくして内側方向に突設する形状を有して形成される。
【００３６】
軸受けフランジ２３は、跳ね上げ回動扉３０の回動軸芯３２が嵌められる軸受け穴２４を形成して棚板２０の内側方向に向けて垂設されて成る。
【００３７】
跳ね上げ回動扉３０は、透明な合成樹脂製の矩形の遮蔽板３４の下端両側に回動軸芯３２を突設する回動軸３１を設けると共に、該回動軸３１の上方両端に回動扉係止部２１の係止ストッパー２２が当接する切り欠き部３５を形成する係止リブ３３を設けて形成される。冷蔵時は上方に跳ね上げられ、出し入れ時は手前に引き下ろされて垂下状態となるため、両手を使っての食品の出し入れができる構造を有して形成される。
【００３８】
回動軸３１は、跳ね上げ回動扉３０の遮蔽板３４の下端両側に回動軸芯３２を突設して設けられるもので、棚板２０の下方内側方向に向けて垂設される軸受けフランジ２３の軸受け穴２４に嵌め込まれる形状で形成される。また、回動軸３１の中央部を省略して遮蔽板３４の下端両側に突出する形状とすることにより、その省略スペース分を跳ね上げられた上方の遮蔽板３４が凸状に延設することができることとなり、結果的に冷蔵庫Ｒの冷凍室Ｈ内の食品を取り出す際の取出しスペースを拡大する仕様とすることができる。
【００３９】
係止リブ３３は、回動扉係止部２１の係止ストッパー２２が当接する切り欠き部３５を形成する補強リブであって、係止効果をアップするためにリブ状にして当接面積を確保すると共に、冷蔵室Ｈの前面をなるべく広範囲に遮蔽する形状の遮断板３４に接触しないように切り欠き状態にして形成される。
【００４０】
遮蔽板３４は、透明の合成樹脂製素材によって矩形の平板状に形成され、下端両側に回動軸芯３２を突設する回動軸３１を設けると共に、該回動軸３１の直近上方両端に切り欠き部３５を形成する係止リブ３３を設けて形成される。
【００４１】
切り欠き部３５は、回動扉係止部２１の係止ストッパー２２が回動途中で当接する状態を回避するために設けられるもので、該回避された端面には係止ストッパー２２の先端部が安定的に当接する係止リブ３３が所定の厚み幅をもって形成される。
【００４２】
以上で構成される冷蔵庫用の跳ね上げ回動式冷気遮断装置１０は、従来の複雑且つ大型の冷気遮断装置とは異なり、小型・軽量な冷気遮断装置であって、冷蔵庫Ｒ内の棚段Ｔ毎の冷蔵室Ｈを跳ね上げ回動扉３０によって冷気を効果的に遮断することができる。
【００４３】
また、本発明の冷蔵庫用の跳ね上げ回動式冷気遮断装置１０は、従来の冷蔵庫内の最上段に冷気遮断装置を取り付けることができない問題、開閉窓を開放したときに開閉状態を片手で持って維持しなければならないため両手を使っての食品の出し入れができない問題、取っ手に相当する部分が三角状の隙間となっているため冷却遮断効果の低下が懸念される問題、後付けする場合に各段毎に突っ張り棒を架設しなければならず取り出す際の邪魔になるなどの問題点を垂下式の構造を採用して解決していることから、本明細書中の段落[００１２]において記載した「冷気流出防止扉付冷蔵庫」（特許文献３参照）とは冷蔵室毎に冷気を遮断する手段を用いている点では共通しているが、本発明の冷蔵庫用の跳ね上げ回動式冷気遮断装置１０は、跳ね上げ回動式を採用していることから、その作用効果において著しい差異があると共に、その解決手段においても全く異なる手法を採用している。
【００４４】
図２は、本発明の冷蔵庫用の跳ね上げ回動式冷気遮断装置における請求項１記載の使用状態を示す説明図である。
図２（a）は跳ね上げ回動扉３０が上方に跳ね上げられて冷蔵室Ｈの前面を遮蔽している状態を示す。
棚板２０の前面に本発明の冷蔵庫用の跳ね上げ回動式冷気遮断装置１０が設けられて冷蔵室Ｈ毎の冷気遮断を行うもので、棚板２０の係止ストッパー２２が跳ね上げ回動扉３０の係止リブ３３に当接して冷蔵室Ｈの前面を遮蔽することにより、従来の冷蔵庫用の跳ね上げ回動式冷気遮断装置と比較して跳ね上げ回動扉３０の開閉時のばたつきを抑制することができる共に、使用にあたってソフトタッチに開閉することができ、さらに柔軟性を持って確実に係止されることで冷蔵室Ｈの冷気遮断状態を安定的に維持することができる。  
【００４５】
図２（b）は、跳ね上げ回動扉３０が下方に引き下げられて冷蔵室Ｈの前面を開放して下段の跳ね上げ回動扉３０と重なっている状態を示す。
食品を冷蔵室Ｈから取り出す際に、跳ね上げ回動扉３０の上方を指で手前に引っ掛けて倒すことにより簡単に跳ね上げ回動扉３０を開放することができる。また冷蔵室Ｈの前面が全開状態となっているため何の障害もなく冷蔵室Ｈから食品を容易に取り出すことができる。さらに、食品を取り出した後、下段の跳ね上げ回動扉３０を上方に跳ね上げようとする時、跳ね上げ回動扉３０が、その下の跳ね上げ回動扉３０と重なって斜め下方に傾いていることから、跳ね上げようとする跳ね上げ回動扉３０が掴み易い形で待機しているという状態でいる。
【００４６】
以上で構成される冷蔵庫用の跳ね上げ回動式冷気遮断装置１０は、冷蔵庫Ｒ内の冷蔵室Ｈ毎の冷気を確実に遮断すると共に、両手を使っての食品の出し入れを可能とするものである。
【実施例２】
【００４７】
図３は、本発明の冷蔵庫用の跳ね上げ回動式冷気遮断装置における請求項３記載の実施形態を示す説明図である。
本発明の冷蔵庫用の跳ね上げ回動式冷気遮断装置１０は、回動扉係止部２１が、棚板２０との着脱を可能とする凹凸嵌め込み部２６を形成した弾性係止ブロック２５で形成される。
【００４８】
弾性係止ブロック２５は、柔軟性を有する合成樹脂素材または天然ゴム材等で形成され、先端形状が略半円形に形成し、棚板の上面とつら位置を同じくして内側方向に突設すると共に棚板２０に設けられる凹凸嵌め込み部２６によって棚板２０との着脱を可能とする形状で連結される。
【００４９】
凹凸嵌め込み部２６は、棚板２０側には凸状の突起を形成し、弾性係止ブロック２５側には凹状の溝穴を形成して互いに嵌め合うことで連結する構造とすることができる。
【００５０】
以上で構成される冷蔵庫用の跳ね上げ回動式冷気遮断装置１０は、弾性係止ブロック２５によって跳ね上げられることにより、跳ね上げ回動扉３０の開閉時のばたつきを抑制することができる共に、使用にあたってソフトタッチに開閉することができ、さらに柔軟性を持って確実に係止されることで冷蔵室Ｈの冷気遮断状態を安定的に維持することができる。
【実施例３】
【００５１】
図４は、本発明の冷蔵庫用の跳ね上げ回動式冷気遮断装置における請求項４記載の実施形態を示す説明図である。
本発明の冷蔵庫用の跳ね上げ回動式冷気遮断装置１０は、回動扉係止部２１が、棚板２０との固着ならびに分離可能とする挟持連結部２８を備えた回動扉係止ブロック２７で形成される。
【００５２】
回動扉係止ブロック２７に挟持連結部２８を形成して固着ならびに分離可能とすることにより、棚板２０と跳ね上げ回動扉３０の形状の簡素化ならびに製造単価のコストダウンを図ることができる。また、挟持連結部２８は嵌め合い機構、ねじ止め機構、接着機構などで構成することも可能である。
【００５３】
以上で構成される冷蔵庫用の跳ね上げ回動式冷気遮断装置１０は、棚板２０と回動扉係止部３０が固着ならびに分離可能となることによって、新規ならびに使用中の冷蔵庫に後付けで装着することができる製品仕様とすることができる。
【実施例４】
【００５４】
図５は、本発明の冷蔵庫用の跳ね上げ回動式冷気遮断装置における請求項２記載の実施形態を示す説明図である。
図５（a）は分解斜視図を示し、図５（b）は要部拡大斜視図を示し、図５（c）は全体斜視図を示す。
本発明の冷蔵庫用の跳ね上げ回動式冷気遮断装置１０は、冷蔵庫Ｒ内の複数の冷蔵室Ｈを仕切る棚板２０と、該冷蔵室Ｈの前面を遮蔽する跳ね上げ回動扉３０とで構成され、冷蔵庫Ｒの棚板２０の前面に装着されて冷蔵庫Ｒ内の冷気を冷蔵室Ｈ毎に遮断する構造で形成され、跳ね上げ回動扉３０が上方に跳ね上げられて回動する回動軸３１を、回動扉係止部２１の軸受け穴２４を挟む上下位置に配設される突条の係止ストッパー２２間に落とし込むことによって、冷蔵庫Ｒ内の冷気を冷蔵室Ｈ毎に遮断する構造で形成される。
【００５５】
棚板２０は、冷蔵庫Ｒの棚段Ｔに載置される合成樹脂製の矩形の平板状に形成され、前方両端には、跳ね上げ回動扉３０を回動自在に軸支する回動扉係止部２１を左右対称に対向させて形成される。
【００５６】
回動扉係止部２１は、跳ね上げ回動扉３０の回動軸芯３２が嵌められる軸受け穴２４を内側方向に向けて設けると共に、該軸受け穴２４を挟む上下位置に突条の係止ストッパー２２を配設して形成されるもので、回動機構が棚板２０の厚みの範囲内で形成されているため、何ら障害物がない状態で冷蔵室Ｈ内の食品の出し入れができる構造を有して形成される。また、回動機構が棚板２０の厚みの範囲内で図示されているが、棚板２０の回動扉係止部２１の付近の棚板２０の一部を肉厚とすることで跳ね上げ回動扉３０の係止状態を安定的にする構造とすることもできる。
【００５７】
係止ストッパー２２は、回動扉係止部２１の軸受け穴２４を挟む上下位置に配設される突条のストッパー部で、矩形の遮蔽板３４の下端両側に角面が面取りされる四角柱状の回動軸３１の両端部を落とし込む形状を有して形成される。係止ストッパー２２の形状は、回動軸３１の両端部の形状と相俟って、凹凸形状、波型形状、嵌め合い形状、ギザ歯形状など多様な形状で形成することも考えられる。また、係止効果を確実にするために、食品の取り出し状況に影響ない範囲で上方に段差状に形成することもできる。
【００５８】
跳ね上げ回動扉３０は、矩形の遮蔽板３４の下端両側に角面が面取りされる四角柱状の回動軸３１を設け、その両端部には回動軸芯３２を突設すると共に、直近上方両端には切り欠き部３５を形成して成る。冷蔵時は上方に跳ね上げられ、出し入れ時は手前に引き下ろされて垂下状態となるため、両手を使っての食品の出し入れが容易にできる。
【００５９】
回動軸３１は、跳ね上げ回動扉３０の遮蔽板３４の下端両側に角面が面取りされる四角柱状の形状を有し、両端部に回動軸芯３２を突設して設けられるもので、棚板２０の回動扉係止部２１の軸受け穴２４を挟む上下位置に配設される突条の係止ストッパー２２間に落とし込む形状で形成される。また、回動軸３１の中央部を省略して遮蔽板３４の下端両側に突出する形状とすることにより、その省略スペース分を跳ね上げられた上方の遮蔽板３４が凸状に延設することができることとなり、結果的に冷蔵庫Ｒの冷凍室Ｈ内の食品を取り出す際の取出しスペースを拡大する仕様とすることができる。尚、回動軸３１の形状は、四角柱状が安定性から見て理想的であるが、その他の多角柱状の回動軸３１とすることも可能である。
【００６０】
遮蔽板３４は、透明の合成樹脂製素材によって矩形の平板状に形成され、下端両側に回動軸芯３２を突設する回動軸３１を設けると共に、該回動軸３１の直近上方両端には切り欠き部３５が形成される。
【００６１】
切り欠き部３５は、回動扉係止部２１の係止ストッパー２２が回動途中で当接する状態を回避するために、回動軸３１の直近上方両端に形成される。
【００６２】
以上で構成される冷蔵庫用の跳ね上げ回動式冷気遮断装置１０は、従来の複雑且つ大型の冷気遮断装置とは異なり、小型・軽量な冷気遮断装置であって、冷蔵庫Ｒ内の棚段Ｔ毎の冷蔵室Ｈを跳ね上げ回動扉３０によって冷気を効果的に遮断することができる。
【００６３】
図６は、本発明の冷蔵庫用の跳ね上げ回動式冷気遮断装置における請求項２記載の使用状態を示す説明図である。
図６（a）は跳ね上げ回動扉３０が上方に跳ね上げられて冷蔵室Ｈの前面を遮蔽している状態を示す。
棚板２０の前面に本発明の冷蔵庫用の跳ね上げ回動式冷気遮断装置１０が設けられて冷蔵室Ｈ毎の冷気遮断を行うもので、角面が面取りされた四角柱状の回動軸３１の両端部を、回動扉係止部３０の軸受け穴２４を挟む上下位置に配設される突条の係止ストッパー２２間に落とし込むことによって、従来の冷蔵庫用の冷気遮断装置と比較して確実に冷気を遮断することができる。
【００６４】
図６（b）は、跳ね上げ回動扉３０が下方に引き下げられて冷蔵室Ｈの前面を開放して下段の跳ね上げ回動扉３０と重なっている状態を示す。
食品を冷蔵室Ｈから取り出す際に、跳ね上げ回動扉３０の上方を指で手前に引っ掛けて倒すことにより簡単に跳ね上げ回動扉３０を開放することができる。また冷蔵室Ｈの前面が全開状態となっているため何の障害もなく冷蔵室Ｈから食品を容易に取り出すことができる。さらに、食品を取り出した後、下段の跳ね上げ回動扉３０を上方に跳ね上げようとする時、跳ね上げ回動扉３０が、その下の跳ね上げ回動扉３０と重なって斜め下方に傾いていることから、跳ね上げようとする跳ね上げ回動扉３０が掴み易い形で待機しているという状態でいる。
【００６５】
以上で構成される冷蔵庫用の跳ね上げ回動式冷気遮断装置１０は、冷蔵庫Ｒ内の冷蔵室Ｈ毎の冷気を確実に遮断すると共に、両手を使っての食品の出し入れを容易とするものである。
【００６６】
図７は、本発明の冷蔵庫用の跳ね上げ回動式冷気遮断装置における請求項３記載の別の実施形態を示す説明図である。
本発明の冷蔵庫用の跳ね上げ回動式冷気遮断装置１０は、回動扉係止部２１が、棚板２０との着脱を可能とする凹凸嵌め込み部２６を形成した弾性係止ブロック２５で形成される。
【００６７】
弾性係止ブロック２５は、柔軟性を有する合成樹脂素材または天然ゴム材等で形成され、跳ね上げ回動扉３０の回動軸芯３２が嵌められる軸受け穴２４を挟む上下位置に突条に形成される係止ストッパー２２を配設すると共に、棚板２０に設けられる凹凸嵌め込み部２６によって棚板２０との着脱を可能とする形状で形成される。また、弾性係止ブロック２５は、一体成型される回動扉係止部２１の係止ストッパー２２が長年に亘って使用され続けると回動による磨耗で擦り減ってしまうことから、材質の種類に関わらず交換用の係止ブロックとして使用することもできる。
【００６８】
凹凸嵌め込み部２６は、棚板２０側には凸状の突起を形成し、弾性係止ブロック２５側には凹状の溝穴を形成して互いに嵌め合うことで連結する構造とすることができる。
【００６９】
以上で構成される冷蔵庫用の跳ね上げ回動式冷気遮断装置１０は、弾性係止ブロック２５の軸受け穴２４を挟む上下位置に配設される突条の係止ストッパー２２間に回動軸３１の両端部を落とし込むことによって、跳ね上げ回動扉３０の開閉時のばたつきを抑制することができる共に、使用にあたってソフトタッチに開閉することができ、さらに柔軟性を持って確実に係止されることで冷蔵室Ｈの冷気遮断状態を安定的に維持することができる。
【００７０】
図８は、本発明の冷蔵庫用の跳ね上げ回動式冷気遮断装置における請求項４記載の別の実施形態を示す説明図である。
本発明の冷蔵庫用の跳ね上げ回動式冷気遮断装置１０は、回動扉係止部２１が、棚板２０との固着ならびに分離可能とする挟持連結部２８を備えた回動扉係止ブロック２７で形成される。
【００７１】
回動扉係止ブロック２７に挟持連結部２８を形成して固着ならびに分離可能とすることにより、棚板２０と跳ね上げ回動扉３０の形状の簡素化ならびに製造単価のコストダウンを図ることができる。また、挟持連結部２８は嵌め合い機構、ねじ止め機構、接着機構などで構成することもできる。
【００７２】
以上で構成される冷蔵庫用の跳ね上げ回動式冷気遮断装置１０は、棚板２０と回動扉係止部３０が固着ならびに分離可能となることによって、新規ならびに使用中の冷蔵庫に後付けで装着することができる製品仕様とすることができる。
【産業上の利用可能性】
【００７３】
本発明の冷蔵庫用の跳ね上げ回動式冷気遮断装置は、冷蔵庫内の冷蔵室毎の冷気を確実に遮断することができる構造、冷気遮断装置が簡単に取り付けることができる構造、両手を使っての食品の出し入れができる構造、製造コストが低廉な構造、装置自体が小型且つ軽量である構造、新規ならびに使用中の冷蔵庫に後付けで装着できる構造などの消費者ニーズを満足させることができる多様な構造を備えることによって、従来に増して冷蔵庫の消費電力を抑制することができることから、本発明における「冷蔵庫用の跳ね上げ回動式冷気遮断装置」の産業上の利用可能性は極めて高いものと解する。
【符号の説明】
【００７４】
１０  冷蔵庫用の跳ね上げ回動式冷気遮断装置
２０  棚板
２１  回動扉係止部
２２  係止ストッパー
２３  軸受けフランジ
２４  軸受け穴
２５  弾性係止ブロック
２６  凹凸嵌め込み部
２７  回動扉係止ブロック
２８  挟持連結部
３０  跳ね上げ回動扉
３１  回動軸
３２  回動軸芯
３３  係止リブ
３４  遮蔽板
３５  切り欠き部
Ｒ  冷蔵庫
Ｔ  棚段
Ｈ  冷蔵室
【要約】
【課題】冷蔵庫内の冷気を冷蔵室毎に遮断することができると共に、両手を使っての食品の出し入れを可能とし、さらに新規ならびに使用中の冷蔵庫に後付けで装着することができる冷蔵庫用の跳ね上げ回動式冷気遮断装置の提供を図る。
【解決手段】本発明は、棚板と跳ね上げ回動扉とで構成され、該棚板は、冷蔵庫の棚段に載置される矩形の平板状に形成され、前方両端には、跳ね上げ回動扉を回動自在に軸支する回動扉係止部を左右対称に対向させて設け、該回動扉係止部は、先端形状が略半円形に形成された係止ストッパーを棚板の上面とつら位置を同じくして内側方向に突設すると共に、跳ね上げ回動扉の回動軸芯が嵌められる軸受け穴を形成する軸受けフランジを内側方向に向けて垂設して成り、跳ね上げ回動扉は、矩形の遮蔽板の下端両側に回動軸芯を突設する回動軸を設けると共に、該回動軸の直近上方両端に切り欠き部を形成する係止リブを設けて成る。
【選択図】図１【図１】
0005643457.tif 000002
【図２】
0005643457.tif 000003
【図３】
0005643457.tif 000004
【図４】
0005643457.tif 000005
【図５】
0005643457.tif 000006
【図６】
0005643457.tif 000007
【図７】
0005643457.tif 000008
【図８】
0005643457.tif 000009